(57)【要約】【課題】テープ幅及びリール間隔の異なる２種類のテープカセットに対してデータを記録または再生する磁気記録再生装置を提供する。【解決手段】ＤＤＳテープ（１ｔ）を第１の巻付け角度で巻き付け、８ｍｍテープ（２ｔ）を第２の巻付け角度で巻き付ける回転ドラム（３０）を備える。この回転ドラム（３０）を用いてＤＤＳテープ（１ｔ）にデータを記録する第１のフォーマットと互換可能なフォーマットを、８ｍｍテープ（２ｔ）にデータを記録する第２のフォーマットとして設定する。この第２のフォーマットは、第１のフォーマットとリード角を一致させ、かつ、トラックピッチを決定したうえ、回転ドラム（３０）のドラム回転数およびテープスピードの組み合わせを決定することで設定する。【選択図】図１７
2005044484.tif 000002
【特許請求の範囲】
【請求項１】
第１のテープ幅を有する第１の磁気テープを第１の供給リールと第１の巻取リールとの間に張架し、前記第１の供給リールと前記第１の巻取リールとが第１のリール間隔をなす第１のテープカセットと、前記第１のテープ幅より幅の広い第２のテープ幅を有する第２の磁気テープを第２の供給リールと第２の巻取リールとの間に張架し、前記第２の供給リールと前記第２の巻取リールとが前記第１のリール間隔よりも広い第２のリール間隔をなす第２のテープカセットとを選択的に用いる磁気記録再生装置において、
前記第１の磁気テープを第１の巻付け角度で巻き付け、前記第２の磁気テープを第２の巻付け角度で巻き付ける回転ドラムを備え、
前記回転ドラムを用いて前記第１の磁気テープにデータを記録する第１のフォーマットと互換可能なフォーマットを、前記第２の磁気テープにデータを記録する第２のフォーマットとして設定する構成としたことを特徴とする磁気記録再生装置。
【請求項２】
前記第２のフォーマットは、前記第１のフォーマットとリード角を一致させ、かつ、トラックピッチを決定したうえ、前記回転ドラムのドラム回転数およびテープスピードの組み合わせを決定することで設定する構成としたことを特徴とする請求項１記載の磁気記録再生装置。
【請求項３】
前記第１または第２の供給リールを駆動する供給側リール台と、
前記第１または第２の巻取リールを駆動する巻取側リール台と、
前記第１のテープカセットを用いるか前記第２のテープカセットを用いるかに応じて、前記供給側リール台と前記巻取側リール台との間隔を切り換えるリール台移動機構と、
前記第１の磁気テープに前記第１のフォーマットにて記録されたデータを再生する再生手段と、
前記第２の磁気テープに前記第２のフォーマットにてデータを記録すると共に、前記第２の磁気テープに前記第２のフォーマットにて記録されたデータを再生する記録再生手段とを備えて構成したことを特徴とする請求項１または２記載の磁気記録再生装置。
【請求項４】
前記回転ドラムに連接して設けられ、外周部に前記回転ドラムの外周面上の下端部からの距離が周方向の位置に応じて可変するよう曲線状にリードが形成された固定ドラムと、
前記リードが前記第１の磁気テープ及び前記第２の磁気テープそれぞれの下端部を位置規制するよう、前記第１のテープカセットを用いるか前記第２のテープカセットを用いるかに応じて、前記固定ドラムを周方向に所定角度だけ回動させるリードシフト機構とをさらに備えて構成したことを特徴とする請求項１〜３のいずれかに記載の磁気記録再生装置。
【請求項５】
前記第１のフォーマットはＤＤＳフォーマットであることを特徴とする請求項１〜４のいずれかに記載の磁気記録再生装置。
【発明の詳細な説明】
【技術分野】
【０００１】
本発明は、テープ幅及びリール間隔の異なる２種類のテープカセットに対してデータを記録または再生する磁気記録再生装置に関する。
【背景技術】
【０００２】
コンピュータのデータをバックアップするためのデータストレージ装置の１つとして、ＤＤＳフォーマットがある。ＤＤＳフォーマットは、テープ幅３．８ｍｍのＤＡＴ（デジタルオーディオテープ）カセットを用いたものである。近年、コンピュータのデータは、情報量が飛躍的に増加している。テープカセットの磁気テープ（以下、単にテープ）に、より多くの情報を記録するには、テープの記録密度を上げる必要がある。しかしながら、飛躍的に情報量が増加すると、テープの記録密度を上げることによってその情報量の増加に対応するには、限界がある。
【特許文献１】特開平５−６５０１号公報
【発明の開示】
【発明が解決しようとする課題】
【０００３】
ＤＤＳフォーマットにおいても、テープ幅の狭いテープカセットを使用しているため、膨大な情報量を有するコンピュータのデータを記録することが困難になってきている。そこで、膨大な情報量のデータを記録するには、テープ幅の広いテープカセットを用いた他のフォーマットのデータストレージ装置を用いる以外に解決策はない。
【０００４】
ところが、ＤＤＳフォーマットよりもテープ幅の広いテープカセットを用いた既存のデータストレージ装置は、当然のことながら、ＤＤＳフォーマットのテープ幅の狭いテープカセットを再生することができない。従って、ＤＤＳフォーマットのデータストレージ装置を使用しているユーザは、過去のデータを再生するためにＤＤＳフォーマットのデータストレージ装置を所有し続けると共に、近年の膨大な情報量のデータを記録するため、テープ幅の広いテープカセットを用いた他のフォーマットのデータストレージ装置を所有しなければならない。このようなことはユーザにとっては好ましいことではなく、その解決が切に望まれていた。
【０００５】
本発明はこのような問題点に鑑みなされたものであり、第１のテープ幅及び第１のリール間隔を有し、第１のフォーマットにてデータが記録された第１のテープカセットを再生することができ、第１のテープ幅より幅の広い第２のテープ幅及び第１のリール間隔より広い第２のリール間隔を有する第２のテープカセットにデータを記録再生することができる磁気記録再生装置を提供することを目的とする。
【課題を解決するための手段】
【０００６】
本発明は、上述した従来の技術の課題を解決するものであって、請求項１に係る発明は、第１のテープ幅を有する第１の磁気テープを第１の供給リールと第１の巻取リールとの間に張架し、前記第１の供給リールと前記第１の巻取リールとが第１のリール間隔をなす第１のテープカセットと、前記第１のテープ幅より幅の広い第２のテープ幅を有する第２の磁気テープを第２の供給リールと第２の巻取リールとの間に張架し、前記第２の供給リールと前記第２の巻取リールとが前記第１のリール間隔よりも広い第２のリール間隔をなす第２のテープカセットとを選択的に用いる磁気記録再生装置において、前記第１の磁気テープを第１の巻付け角度で巻き付け、前記第２の磁気テープを第２の巻付け角度で巻き付ける回転ドラムを備え、前記回転ドラムを用いて前記第１の磁気テープにデータを記録する第１のフォーマットと互換可能なフォーマットを、前記第２の磁気テープにデータを記録する第２のフォーマットとして設定する構成とした磁気記録再生装置である。
【０００７】
請求項２に係る発明は、請求項１記載の発明において、前記第２のフォーマットは、前記第１のフォーマットとリード角を一致させ、かつ、トラックピッチを決定したうえ、前記回転ドラムのドラム回転数およびテープスピードの組み合わせを決定することで設定する構成とした磁気記録再生装置である。
【０００８】
請求項３に係る発明は、請求項１または２記載の発明において、前記第１または第２の供給リールを駆動する供給側リール台と、前記第１または第２の巻取リールを駆動する巻取側リール台と、前記第１のテープカセットを用いるか前記第２のテープカセットを用いるかに応じて、前記供給側リール台と前記巻取側リール台との間隔を切り換えるリール台移動機構と、前記第１の磁気テープに前記第１のフォーマットにて記録されたデータを再生する再生手段と、前記第２の磁気テープに前記第２のフォーマットにてデータを記録すると共に、前記第２の磁気テープに前記第２のフォーマットにて記録されたデータを再生する記録再生手段とを備えて構成した磁気記録再生装置である。
【０００９】
請求項４に係る発明は、請求項１〜３のいずれかに記載の発明において、前記回転ドラムに連接して設けられ、外周部に前記回転ドラムの外周面上の下端部からの距離が周方向の位置に応じて可変するよう曲線状にリードが形成された固定ドラムと、前記リードが前記第１の磁気テープ及び前記第２の磁気テープそれぞれの下端部を位置規制するよう、前記第１のテープカセットを用いるか前記第２のテープカセットを用いるかに応じて、前記固定ドラムを周方向に所定角度だけ回動させるリードシフト機構とをさらに備えて構成した磁気記録再生装置である。
【００１０】
請求項５に係る発明は、請求項１〜４のいずれかに記載の発明において、前記第１のフォーマットはＤＤＳフォーマットである磁気記録再生装置である。
【発明の効果】
【００１１】
本発明の磁気記録再生装置は、第１のテープ幅を有する第１の磁気テープを第１の供給リールと第１の巻取リールとの間に張架し、前記第１の供給リールと前記第１の巻取リールとが第１のリール間隔をなす第１のテープカセットと、前記第１のテープ幅より幅の広い第２のテープ幅を有する第２の磁気テープを第２の供給リールと第２の巻取リールとの間に張架し、前記第２の供給リールと前記第２の巻取リールとが前記第１のリール間隔よりも広い第２のリール間隔をなす第２のテープカセットとを選択的に用いる磁気記録再生装置において、前記第１の磁気テープを第１の巻付け角度で巻き付け、前記第２の磁気テープを第２の巻付け角度で巻き付ける回転ドラムを備え、前記回転ドラムを用いて前記第１の磁気テープにデータを記録する第１のフォーマットと互換可能なフォーマットを、前記第２の磁気テープにデータを記録する第２のフォーマットとして設定する構成としたので、第１のテープカセットの互換再生を維持しつつ、第２のテープカセットにデータを記録再生することができる。
【００１２】
従って、ユーザは、１台の装置を所有するだけで、第１のテープカセットに記録した過去のデータを再生することができ、かつ、近年の膨大な情報量を有するコンピュータのデータを記録することができる。
【００１３】
しかも、回転ドラムのドラム回転数とテープスピードとをコントロールすることで既存のテープフォーマットのパターンに対応することができ、また、回転ドラムのドラム回転数とテープスピードとの組み合わせは任意に決定することができ、さらに、テープの巻付け角度を大きくすることでデータ転送速度の向上を実現することができる。
【発明を実施するための最良の形態】
【００１４】
以下、本発明の磁気記録再生装置について、添付図面を参照して説明する。図１及び図２は本発明の磁気記録再生装置の一実施形態を示す平面図、図３は本発明の磁気記録再生装置の動作を説明するためのフローチャート、図４及び図５は本発明の磁気記録再生装置で用いるリール台移動機構を示す平面図、図６は本発明の磁気記録再生装置における回転ドラムに対するテープの巻付角の一例を示す図、図７は本発明の磁気記録再生装置で用いるリードシフト機構を示す図、図８はリードシフト機構による作用を説明するための図、図９は本発明の磁気記録再生装置における回転ドラムとテープとの関係を平面的に示す図、図１０はテープの記録フォーマットを説明するための図、図１１は本発明の磁気記録再生装置で用いる記録再生回路の一例を示す回路図、図１２は本発明の磁気記録再生装置における回転ドラムのヘッド配置の一例を示す図、図１３及び図１４は本発明の磁気記録再生装置で用いる２種類のテープカセットの例を示す平面図である。
【００１５】
まず、図１３及び図１４を用いて、本発明の磁気記録再生装置で用いるテープカセットについて説明する。図１３は、テープ幅３．８ｍｍのテープカセット１であり、ＤＤＳフォーマットで用いるテープカセットを示している。図１３（Ａ）はテープカセット１をカセットマウス１ｍ側から見た平面図、図１３（Ｂ）はテープカセット１を表面より見た平面図である。テープカセット１の供給リール１ａと巻取リール１ｂとの間には、テープ幅３．８ｍｍの磁気テープ（以下、単にテープ）１ｔが張架されている。以下、ＤＤＳフォーマットで用いるテープカセットであるテープカセット１を幅狭テープカセット１と称することとする。
【００１６】
一方、図１４は、テープカセット１よりもテープ幅の広いテープカセットの一例であり、本実施形態では、一例として、テープ幅８ｍｍのテープカセット２を示している。図１４（Ａ）はテープカセット２をカセットマウス２ｍ側から見た平面図、図１４（Ｂ）はテープカセット２を表面より見た平面図である。テープカセット２の供給リール２ａと巻取リール２ｂとの間には、テープ幅８ｍｍの磁気テープ（以下、単にテープ）２ｔが張架されている。以下、本実施形態で新規フォーマットとして用いるテープカセットであるテープカセット２を幅広テープカセット２と称することとする。
【００１７】
本実施形態は、ＤＤＳフォーマットの幅狭テープカセット１の互換再生を確保すると共に、幅広テープカセット２に対して新規フォーマットでデータを記録再生することができるよう構成した磁気記録再生装置（データストレージ装置）である。以下、具体的な構成及び動作について説明する。
【００１８】
図３において、ステップＳ１にて、幅狭テープカセット１または幅広テープカセット２を載置するための図示していないトレイが、トレイの引出指令に伴って装置より引き出される。ステップＳ２にて、トレイに幅狭テープカセット１または幅広テープカセット２が載置され、ステップＳ３にて、トレイが装置内に引き込まれる。そして、ステップＳ４にて、載置されたカセットが幅狭テープカセット１と幅広テープカセット２のいずれであるかが図示しないセンサによって検出される。以上のステップＳ１〜Ｓ４までの動作は、全て公知の技術により実現できる。
【００１９】
ステップＳ４にて、載置されたカセットが幅広テープカセット２であることが検出されると、ステップＳ１１に移る。ステップＳ４にて、載置されたカセットが幅狭テープカセット１であることが検出されると、ステップＳ２１に移る。本実施形態では、載置されたカセットが幅狭テープカセット１であるか幅広テープカセット２であるかよって、磁気記録再生装置の構成部品の動作が異なる。
【００２０】
まず、載置されたカセットが幅広テープカセット２であるときの動作について詳細に説明する。図１は、本実施形態の磁気記録再生装置に幅広テープカセット２を装填した状態を示している。幅広テープカセット２は、メインデッキ１０と高さ方向に離間した状態で、図１の下方向から上方向へと移動し、幅広テープカセット２が図１に示す位置に至ると、メインデッキ１０方向に降下して、幅広テープカセット２が装置内部に装着された状態となる（図３のステップＳ１１）。
【００２１】
図１において、メインデッキ１０上には、幅狭テープカセット１及び幅広テープカセット２の供給リール１ａ，２ａと巻取リール１ｂ，２ｂを駆動するための供給側リール台１１ａと巻取側リール台１１ｂが設けられている。供給側リール台１１ａと巻取側リール台１１ｂとの中心間距離は、図１に示す初期状態（通常の状態）において、供給リール２ａと巻取リール２ｂとの中心間距離と同一となっている。従って、幅広テープカセット２が装置内部に装着されると、供給側リール台１１ａと巻取側リール台１１ｂはそれぞれ供給リール２ａと巻取リール２ｂに係合する。
【００２２】
後に詳述するが、供給側リール台１１ａと巻取側リール台１１ｂは、リール台ベース１２ａ，１２ｂ上に設けられている。ここでは図示していないが、リール台ベース１２ａ，１２ｂはサブデッキ５０（図４及び図５参照）に設けられ、サブデッキ５０はメインデッキ１０上に取り付けられている。リール台ベース１２ａ，１２ｂは支点１３を中心として連結されており、リール台ベース１２ａ，１２ｂはその支点を中心として開閉するよう構成されている。これにより、供給側リール台１１ａと巻取側リール台１１ｂの位置は変位自在となっている。
【００２３】
さらに、メインデッキ１０上には、幅狭テープカセット１または幅広テープカセット２のテープ１ｔ，２ｔを幅狭テープカセット１，幅広テープカセット２の外部へと引き出して、回転ドラム３０へと所定角度で巻き付けるローディング手段である複数個のガイドローラ２１〜２６と１つのピンチローラ２７が設けられている。ガイドローラ２１，２６はガイドローラアーム２１Ａ，２６Ａの先端に設けられているものであり、この２つのガイドローラ２１，２６は幅狭テープカセット１をローディングするため専用のガイドローラである。従って、図１に示す幅広テープカセット２を装填した状態で、ガイドローラアーム２１Ａ，２６Ａは初期位置にあり、テープ２ｔを引き出すものではない。
【００２４】
巻取リール２ｂ側のガイドローラ２４が、図示していない溝に沿って、幅広テープカセット２のカセットマウス２ｍ内から回転ドラム３０の出口側へと移動し（図３のステップＳ１２）、供給リール２ａ側のガイドローラ２２，２３も、図示していない溝に沿って、カセットマウス２ｍ内から回転ドラム３０の入口側へと移動する（図３のステップＳ１３）。そして、ガイドローラ２５とピンチローラ２７が、図示していない溝に沿って、カセットマウス２ｍ内から外部へと引き出され、ピンチローラ２７はキャプスタン４１に圧着する（図３のステップＳ１４）。なお、図３におけるステップＳ１２とステップＳ１４とを結ぶ破線は、両者が機構的に連動していることを示している。
【００２５】
以上のローディング動作により、カセットマウス２ｍ内から外部へと移動したガイドローラ２２〜２５及びピンチローラ２７と、メインデッキ１０上に設けられた固定のガイドローラ４２，４３，４８及びガイドピン４４〜４７によって、テープ２ｔの走行路が形成される。このとき、テープ２ｔは、図６（Ｂ）に示すように、回転ドラム３０に対して、略１８０°の角度で巻き付けられる。
【００２６】
また、テープ２ｔの上端部（幅方向の一方の端部）の位置規制は、回転ドラム３０の入口側，出口側に位置するガイドローラ２３，２４の上側フランジによって行われ、テープ２ｔの下端部（幅方向の他方の端部）の位置規制は、図８（Ｂ）に示すように、回転ドラム３０に連接した固定ドラム３１に形成した段差部であるリード３１ｂ１によって行われる。固定ドラム３１及びリード３１ｂ１の詳細については後述する。
【００２７】
次に、載置されたカセットが幅狭テープカセット１であるときの動作について詳細に説明する。図２は、本実施形態の磁気記録再生装置に幅狭テープカセット１を装填した状態を示している。図１３及び図１４より明らかなように、幅狭テープカセット１の供給リール１ａと巻取リール１ｂとの間隔は、幅広テープカセット２の供給リール２ａと巻取リール２ｂとの間隔よりも狭い。従って、幅狭テープカセット１を装填した場合には、上述した供給側リール台１１ａと巻取側リール台１１ｂとの間隔を幅狭テープカセット１の供給リール１ａと巻取リール１ｂとの間隔に合わせて変えることが必要となる。
【００２８】
図３に示すように、載置されたカセットが幅狭テープカセット１であると検出されると、ステップＳ２１にて、供給側リール台１１ａと巻取側リール台１１ｂが移動し、供給側リール台１１ａと巻取側リール台１１ｂとの間隔を切り換える。
【００２９】
図４及び図５を用いて、供給側リール台１１ａと巻取側リール台１１ｂの移動機構９０について説明する。図４は、供給側リール台１１ａと巻取側リール台１１ｂの初期位置、即ち、幅広テープカセット２を用いる場合の状態を示している。図４に示すように、供給側リール台１１ａと巻取側リール台１１ｂは、リール台ベース１２ａ，１２ｂ上に設けられている。リール台ベース１２ａ，１２ｂは支点１３にて連結されており、サブデッキ５０に取り付けられる。
【００３０】
リール台ベース１２ａ，１２ｂは、引っ張りばね１４によって互いに閉じる方向に力が加えられている。リール台ベース１２ａ，１２ｂには、電磁ソレノイド１５ａ，１５ｂによって供給側リール台１１ａ，巻取側リール台１１ｂに圧着または離間するブレーキ１６ａ，１６ｂが設けられている。供給側リール台１１ａ，巻取側リール台１１ｂや電磁ソレノイド１５ａ，１５ｂは、例えばフレキシブル基板（図示せず）を介してサブデッキ５０の裏面に設けられた駆動回路に接続されて駆動される。
【００３１】
ここでは理解を容易にするため、平面的に分離して図示しているが、リール台ベース１２ａ，１２ｂのピン１７ａ，１７ｂには、圧着レバー１８に取り付けたアーム１８ａ，１８ｂの孔１８ａ１，１８ｂ１が係合している。アーム１８ａ，１８ｂは支点１８ｃを中心として開閉自在となっている。圧着レバー１８のピン１８ｄは、ばね１８ｅの力によってスライドカム１９の一方の端面１９ａに押圧されている。スライドカム１９の端面１９ａには、凹部１９ａ１が形成されている。
【００３２】
さて、載置されたカセットが幅狭テープカセット１であると検出されると、図示していない制御手段によって、供給側リール台１１ａと巻取側リール台１１ｂの移動指令がなされる。すると、図４に示す位置にあるスライドカム１９が図の左方向へとスライドし、図５に示す位置に至る。このとき、圧着レバー１８のピン１８ｄは、端面１９ａに形成された凹部１９ａ１へと移動する。すると、圧着レバー１８のばね１８ｅによるスライドカム１９への押圧力が解放され、引っ張りばね１４の力によって、リール台ベース１２ａ，１２ｂはその角度が小さくなる。これに伴って、リール台ベース１２ａ，１２ｂとは逆のＶ字状のアーム１８ａ，１８ｂもその角度が小さくなり、アーム１８ａ，１８ｂの支点１８ｃは図の上方向に押し上げられる。
【００３３】
このようにして、スライドカム１９がスライドすることによって、リール台ベース１２ａ，１２ｂが互いの角度を小さくする方向に回動して、供給側リール台１１ａと巻取側リール台１１ｂの位置が移動する。図５に示す状態において、供給側リール台１１ａと巻取側リール台１１ｂとの中心間距離は、幅狭テープカセット１の供給リール１ａと巻取リール１ｂとの中心間距離と同一となり、供給側リール台１１ａと巻取側リール台１１ｂは、供給リール１ａと巻取リール１ｂにちょうど係合する位置となる。
【００３４】
以上のようにして、図３のステップＳ２１にて供給側リール台１１ａと巻取側リール台１１ｂが移動すると、幅狭テープカセット１は、メインデッキ１０とは高さ方向に離間した状態で、図２の下方向から上方向へと移動し、幅狭テープカセット１が図２に示す位置に至ると、メインデッキ１０方向に降下して、幅狭テープカセット１が装置内部に装着された状態となる（図３のステップＳ２２）。幅狭テープカセット１が装置内部に装着された状態で、供給側リール台１１ａと巻取側リール台１１ｂはそれぞれ供給リール１ａと巻取リール１２ｂに係合する。
【００３５】
幅狭テープカセット１が装置内部に装着されると、上述したガイドローラアーム２１Ａ，２６Ａが回動し、ガイドローラ２１，２６が幅狭テープカセット１のテープ１ｔを外部へと所定量引き出す（図３のステップＳ２３）。ガイドローラアーム２１Ａ，２６Ａは、図４及び図５に示すスライドカム１９の溝１９ｂ，１９ｃにそれぞれ係合しており、スライドカム１９が図４の状態から図５の状態に移行するのに伴って回動するようになっている。
【００３６】
また、幅狭テープカセット１が装置内部に装着されると、図３のステップＳ２１〜Ｓ２３の動作と並行して、固定ドラム３１に設けたリードシフト機構６０（図７参照）が動作するようになっている（ステップＳ３１）。リードシフト機構６０については、後に詳述する。リードシフト機構６０は、幅狭テープカセット１のテープ１ｔのローディング完了前にその動作を完了する。
【００３７】
次に、巻取リール２ｂ側のガイドローラ２４が、図示していない溝に沿って、幅狭テープカセット１のカセットマウス１ｍ内から回転ドラム３０の出口側へと移動（図３のステップＳ２４）する。幅狭テープカセット１を装填した場合には、図２に示すように、供給リール１ａ側のガイドローラ２２，２３は動作せず、テープ１ｔを引き出さない。即ち、ガイドローラ２２，２３は、幅広テープカセット２をローディングするため専用のガイドローラである。
【００３８】
そして、ガイドローラ２５とピンチローラ２７が、図示していない溝に沿って、カセットマウス１ｍ内から外部へと引き出され、ピンチローラ２７はキャプスタン４１に圧着する（図３のステップＳ２５）。なお、図３におけるステップＳ２１とステップＳ２３、ステップＳ２４とステップＳ２５は、機構的に連動している。
【００３９】
以上のローディング動作により、カセットマウス１ｍ内から外部へと移動したガイドローラ２１，２４〜２６及びピンチローラ２７と、メインデッキ１０上に設けられた固定のガイドローラ４２，４８及びガイドピン４５〜４７によって、テープ１ｔの走行路が形成される。このとき、テープ１ｔは、図６（Ａ）に示すように、回転ドラム３０に対して、略６８°の角度で巻き付けられる。
【００４０】
また、テープ１ｔの上端部（幅方向の一方の端部）の位置規制は、回転ドラム３０の入口側，出口側に位置するガイドローラ２１，２４の上側フランジによって行われる。ガイドローラ２１の上側フランジの高さ位置はガイドローラ２２の上側フランジの高さ位置と同じとなるように設定されているので、テープ１ｔの上端部はテープ２ｔの上端部と同じ高さ位置である。テープ１ｔの下端部（幅方向の他方の端部）の位置規制は、図８（Ａ）に示すように、回転ドラム３０に連結した固定ドラム３１に形成した段差部であるリード３１ｂ１によって行われる。
【００４１】
ここで、図７及び図８を用いて、固定ドラム３１のリード３１ｂ１を周方向に回動させて、テープ１ｔ，２ｔの下端部それぞれを位置規制するよう切り換えるリードシフト機構６０について説明する。リードシフト機構６０は、幅狭テープカセット１を装填した場合と、幅広テープカセット２を装填した場合とに合わせて、リード３１ｂ１がテープ１ｔの下端部を位置規制する位置と、リード３１ｂ１がテープ２ｔの下端部を位置規制する位置との間で、固定ドラム３１を回動させるようになっている。
【００４２】
図７において、（Ａ）は回転ドラム３０とその付属部品及びリードシフト機構６０を上面から見た平面図、（Ｂ）はその側面図、（Ｃ）は拡大断面図である。図７（Ａ）〜（Ｃ）に示すように、ドラムベース３２には、ギアドモータ３３，エンコーダギア３４，圧着ギア３５が搭載されている。ギアドモータ３３の回転駆動力がエンコーダギア３４，圧着ギア３５及びタイミングベルト３６を介して固定ドラム３１に伝達され、固定ドラム３１が所定角度回動するようになっている。ギアドモータ３３，エンコーダギア３４，圧着ギア３５，タイミングベルト３６がリードシフト機構６０を構成する。
【００４３】
図７（Ｃ）に示すように、固定ドラム３１は、回転ドラム３０の回転軸である固定シャフト３０ａを支持する底面部３１ａと、外周部３１ｂとよりなる。一般的な固定ドラムは、底面部と外周部とが一体となっているが、本実施形態では、固定ドラム３１の外周部３１ｂを回動させることができるよう、底面部３１ａと外周部３１ｂとが別体となっている。底面部３１ａと外周部３１ｂとの間には、ボールベアリング３１ｃが設けられている。回転ドラム３０と固定シャフト３０ａとの間には、ボールベアリング３０ｂが設けられている。図７（Ｃ）における３０ｃはステータコイル、３０ｄはロータマグネット、３０ｅはフライホール、Ｈは磁気ヘッドである。
【００４４】
図７（Ｂ）に示すように、固定ドラム３１の外周部３１ｂには、回転ドラム３０の外周面上の下端部からの距離が周方向の位置に応じて可変するよう曲線状にリード３１ｂ１が形成されている。リード３１ｂ１は、外周部３１ｂを周回している。固定ドラム３１（外周部３１ｂ）を所定角度回動させるためのギアドモータ３３の回転駆動力は、エンコーダギア３４及び圧着ギア３５を介してタイミングベルト３６に伝達され、タイミングベルト３６は固定ドラム３１を回動させる。
【００４５】
図７（Ｃ）に示すように、外周部３１ｂには、ストッパピン３１ｄが取り付けられており、ストッパピン３１ｄがドラムベース３２の所定位置に当接して、外周部３１ｂの回動が停止する。外周部３１ｂの回動が停止した後、圧着ギア３５がさらに外周部３１ｂを回動させようとするので、ストッパピン３１ｄはドラムベース３２に押し付けられ、外周部３１ｂは強固に位置決めされる。なお、外周部３１ｂが逆方向に回動したときも、全く同様な構成によって、外周部３１ｂは強固に位置決めされる。
【００４６】
このように、固定ドラム３１の外周部３１ｂを第１の位置と第２の位置との間で回動させることにより、外周部３１ｂに形成したリード３１ｂ１は、周方向に位置がシフトする。第１の位置を、幅狭テープカセット１を装填したときの位置、第２の位置を、幅広テープカセット２を装填したときの位置とする。図８（Ａ）に示すように、第１の位置において、リード３１ｂ１が幅狭テープカセット１のテープ１ｔの下端部を位置規制し、図８（Ｂ）に示すように、第２の位置において、リード３１ｂ１が幅広テープカセット２のテープ２ｔの下端部を位置規制するよう、リード３１ｂ１の形状及び周上の位置を設定しておく。
【００４７】
以上説明したリードシフト機構６０の構成及び動作によって、固定ドラム３１の外周部３１ｂに形成されているリード３１ｂ１は、図８（Ａ）の状態と図８（Ｂ）の状態との間で切り換えられ、幅狭テープカセット１と幅広テープカセット２のテープ１ｔ，テープ２ｔをローディングしたとき、テープ１ｔ，テープ２ｔそれぞれの下端部を位置規制することになる。
【００４８】
図９は、テープ１ｔ，テープ２ｔをローディングした状態における回転ドラム３０とテープ１ｔ，テープ２ｔとの関係を平面的に示している。図１０（Ａ），（Ｂ）は、それぞれ、テープ１ｔ，テープ２ｔの記録フォーマットである。図１０（Ａ）に示すように、テープ幅３．８ｍｍのテープ１ｔには、ハッチングで示す記録幅２．６ｍｍの部分にデータが記録されている。図１０（Ｂ）に示すように、テープ幅８ｍｍのテープ２ｔには、ハッチングで示す記録幅６．８ｍｍの部分にデータが記録される。
【００４９】
上述のように、また、図９に示すように、テープ１ｔ，テープ２ｔは、それぞれの上端部の位置が揃えられて、回転ドラム３０上を走行する。テープ２ｔは、回転ドラム３０に対して略１８０°の角度で巻き付けられ、有効巻付角θ２は１７５°である。テープ１ｔは、回転ドラム３０に対して略６８°の角度で巻き付けられ、有効巻付角θ１は６７．５°である。なお、有効巻付角とは、データの記録または再生に用いるテープの巻付角である。αは、リードシフト機構６０によるリード３１ｂ１のシフト角であり、１０７．５°である。
【００５０】
図９に示すＴｒ１−Ａ，Ｔｒ１−Ｂを端点とする１点鎖線は、幅狭テープカセット１のテープ１ｔに形成され、データ再生のための磁気ヘッドＨが走査するトラックＴｒ１を示している。図９に示すＴｒ２−Ａ，Ｔｒ２−Ｂを端点とする１点鎖線は、幅広テープカセット２を用いたとき、データ記録のための磁気ヘッドＨが走査してテープ２ｔに形成されるか、テープ２ｔに形成され、データ再生のための磁気ヘッドＨが走査するトラックＴｒ２である。
【００５１】
図１０（Ａ）に示すように、幅狭テープカセット１のテープ１ｔに形成されたトラックＴｒ１は、トラックピッチ６．７８７μｍ、トラック走行角６．３７４９２°である。以上が幅狭テープカセット１のＤＤＳフォーマットである。本発明ではこのフォーマットを実現するために、ドラム径４０ｍｍ、ドラム回転数７５００ｒｐｍ、ドラム有効巻付角６７．５°、テープスピード１５．２８７ｍｍ／ｓｅｃとした。
【００５２】
一方、図１０（Ｂ）に示すように、幅広テープカセット２のテープ２ｔに形成するトラックＴｒ２は、トラックピッチ３．０μｍ、トラック走行角６．２９９６３°である。これ以外は、トラック長６１．０４７ｍｍ、ドラム径４０ｍｍ、ドラム回転数７５００ｒｐｍ、ドラム有効巻付角１７５．０°、テープスピード６．８３５ｍｍ／ｓｅｃであり、以上が幅広テープカセット２を用いた場合の新フォーマットである。なお、幅広テープカセット２の新フォーマットは単なる一例であり、上記のものに限定されるものではない。
【００５３】
次に、図１１を用いて、幅狭テープカセット１や幅広テープカセット２に記録されたデータを再生するための再生回路、幅広テープカセット２にデータを記録するための記録回路について説明する。図１１（Ａ），（Ｂ）において、ＨＡ１，ＨＡ２，ＨＢ１，ＨＢ２は回転ドラム３０に設けられている磁気ヘッドである。図１２は、回転ドラム３０のヘッド配置を示している。図１２において、ＨＡ１，ＨＡ２はメタル・イン・ギャップ型ヘッド（ＭＩＧヘッド）であり、このヘッドＨＡ１，ＨＡ２は回転ドラム３０の周上で１８０°対向して配置されている。ヘッドＨＡ１，ＨＡ２は幅狭テープカセット１のデータを記録再生するため、及び、幅広テープカセット２にデータを記録あるいは再生するために用いられる。
【００５４】
また、ＨＢ１，ＨＢ２は磁気抵抗効果型ヘッド（ＭＲヘッド）であり、このヘッドＨＢ１，ＨＢ２は回転ドラム３０の周上で１８０°対向し、ヘッドＨＡ１，ＨＡ２とは９０°ずれた位置に配置されている。ヘッドＨＢ１，ＨＢ２は幅広テープカセット２に記録されたデータを再生するためにのみ用いられる。図７（Ｃ）に示すヘッドＨはヘッドＨＡ１，ＨＡ２またはヘッドＨＢ１，ＨＢ２のいずれかであり、図９に示すヘッドＨはヘッドＨＡ１，ＨＡ２，ＨＢ１，ＨＢ２のいずれかを示している。
【００５５】
図１１（Ａ）は、幅狭テープカセット１（ＤＤＳフォーマット）の再生回路及び幅広テープカセット２（新フォーマット）の記録回路である。ヘッドＨＡ１，ＨＡ２で再生された信号はロータリトランス７１，７２を介してプリレコーディングアンプ７３に入力され、図示していない信号処理回路へと供給される。一方、図示していない信号処理回路から供給された記録すべき信号は、プリレコーディングアンプ７３を介してロータリトランス７１，７２に入力され、ロータリトランス７１，７２からヘッドＨＡ１，ＨＡ２へと供給される。なお、ロータリトランス７１，７２は、回転ドラム３０及び固定ドラム３１の内部に装着されるものである。
【００５６】
図１１（Ｂ）は、幅広テープカセット２（新フォーマット）の再生回路である。ヘッドＨＢ１，ＨＢ２はＭＲヘッドであるので、外部の電力源から再生回路に定電流を流して、電圧変化として再生信号を検出する必要がある。ヘッドＨＢ１，ＨＢ２の出力はスイッチ７４を介してアンプ７５に供給される。スイッチ７４はヘッドＨＢ１，ＨＢ２に交互に接続して、１チャンネルのシリアル信号として出力する。外部の電力源からの定電流は、ロータリトランス７８及び電流の逆流を防ぐためのダイオード素子７６を介してアンプ７５に供給される。アンプ７５の出力はロータリトランス７７を介してプリアンプ７９に供給される。
【００５７】
この構成によって、電圧変化として検出された再生信号は、プリアンプ７９に入力され、図示していない信号処理回路へと供給される。なお、ロータリトランス７７，７８は、回転ドラム３０及び固定ドラム３１の内部に装着されるものである。
【００５８】
以上のようにして、本発明においては、ＤＤＳフォーマットの幅狭テープカセット１の互換再生を維持しつつ、幅広テープカセット２に新フォーマットでデータを記録再生することが可能となる。本実施形態の構成においては、構成が簡略化されているので、装置のコストが大幅に上昇することはない。本発明は、以上説明した本実施形態に限定されるものではなく、本発明の要旨を逸脱しない範囲において種々変更可能である。
【実施例１】
【００５９】
以下、３．８ｍｍのＤＤＳテープフォーマットを厳守したうえで、３．８ｍｍテープはもちろんのこと、大容量と高転送レートを実現できる８ｍｍ幅（後述する＜テープパターンのＹ軸成分とテープ幅＞参照）のテープをも記録再生できるシステム上のテープフォーマットの実施例について説明する。
【００６０】
従来のところ、３．８ｍｍＤＤＳフォーマットを厳守する機器は、ドラム径が３０ｍｍ、テープ巻付け角が９０度というシステムが一般的である。このシステムの欠点として、テープ巻付け角が９０度で回転ヘッドが１８０度対向のため、両ヘッドともテープから離れている時間があり、ヘッドがデータを記録再生している時間率が５０％と低いことがあげられる。通常の民生用ヘリカルスキャンＶＴＲはテープの巻付けが１８０度程度であるためこのような問題は起こらない。
【００６１】
これらを勘案して、通常のＤＤＳフォーマットを厳守しながら、同じメカユニットを用い８ｍｍ幅テープを走行させ、同一回転ヘッドで記録再生していても、高速転送レートと大容量が実現できるフォーマットを以下に示す。
【００６２】
まず遵守するフォーマットとしてＤＤＳ−４をベースにする。これはＥＣＭＡに記載されているように、トラック角６．３７４９２°、トラックピッチ６．７８７μｍ、トラック長２３．５３２ｍｍである。
【００６３】
図１５に示すように、８ｍｍ幅テープを用いた場合、テープ巻付け角は１８０°に近い値とし（後述する＜テープ巻付け角＞参照）データ転送速度を稼ぎ、ドラム径は主にメカユニットのサイズから４０ｍｍ（後述する＜ドラム径＞参照）とした。さらに８ｍｍテープにおけるトラックのＹ軸成分はテープ幅から規制され、テープエッジの上下端余裕を勘案し、６．７ｍｍ（後述する＜テープパターンのＹ軸成分とテープ幅＞参照）とした（Ｌｙｓ−８ｍｍ）。
【００６４】
このような条件の下、８ｍｍ幅テープが静止している状態でのパターン軌跡を図１６に示す。この図の三角形のＹ軸辺は上記６．７ｍｍであり、斜面の静止トラック長（Ｌｓ−８ｍｍ）はドラム径とテープ巻付け角度から決まり、６１．０８６５ｍｍとなる。そしてこの斜辺とＸ軸成分がなす角度が、テープ長手方向と回転ヘッド走査方向のなす角度で一般的にリード角度と呼ばれている。この角度は上記三角形から幾何学的に求められるもので、６．２９６９°となる。
【００６５】
またこのリード角は８ｍｍテープ走行時と３．８ｍｍテープ走行時に共通する値となるため、このリード角とドラム径を基準にして、ＤＤＳ−４のパターンを満足するテープスピードとドラム回転数を選択すればよい。このテープスピードとドラム回転数の組み合わせは無数にあり、状況に合わせ選択することが可能である。以下にテープスピードとドラム回転数の算出法とその組み合わせの実例をあげる。
【００６６】
ＤＤＳシステムへの適応を考えたとき、リード角は変更できないため、図１６の斜辺（静止トラック長）上にＤＤＳ時の静止トラック長が重なるのは必然である。図１７にＤＤＳ−４の静止トラックを重ねた図を示す。さらにＤＤＳ−４のトラック長、トラックピッチ、トラック角（すべて走行時）を図１７に盛り込む。
【００６７】
図１７中のＡはＤＤＳ−４規格であるトラックピッチと走行角から値が決まり、それは６．３７４９ｍｍとなりテープスピードとドラム回転数から決まる値である。
【００６８】
ストレージシステムの場合、民生のＶＴＲと違いテープスピード（Ｔｓ）やドラム回転数（Ｒｄ）を任意の値に設定できるため、式［Ａ＝Ｔｓ／（Ｒｄ／１２０）］を満足できるように設定すればＤＤＳ−４規格のパターンをトレースすることができる。
【００６９】
ドラム回転数とテープスピードの組み合わせ例を以下に列挙する。なおドラム回転数はデータ転送速度に影響することは言うまでもない。
【００７０】
＜ＤＤＳ−４対応＞
ドラム回転数（ｒｐｍ）：テープスピード（ｍｍ／ｓ）
１２０００              ２４．４５０
９０００              １８．３３８
７５００              １５．２８１
【００７１】
さらにＤＤＳモード時のテープ巻き付け角を求めるのは、ＤＤＳ静止トラック長が図１５と図１７で決まっているところから幾何学的に算出できる。このシステムではその値は６７．４９°となる。
【００７２】
またＤＤＳの下位互換性を確保をするためには、テープスピードとドラム回転数をコントロールすればよい。例としてＤＤＳ−３への対応をあげる。
【００７３】
＜ＤＤＳ−３対応＞
ドラム回転数（ｒｐｍ）：テープスピード（ｍｍ／ｓ）
１２０００              ３２．５５９
９０００              ２４．４５０
７５００              ２０．３７５
【００７４】
一方、ドラムリード角が決まっているため、８ｍｍ幅テープを使用した場合のトラックパターンは、トラックピッチ、ドラム回転数、テープスピードの３項目のうち、２項目を決めることで残りの１項目が決定する。
【００７５】
普通トラックピッチはシステムの記録・再生能力に対して決まってくるため、はじめに決めるのが一般的である。
【００７６】
以下にトラックピッチ５μｍ／３μｍにてドラム回転数を１２００ｒｐｍ／９０００ｒｐｍ／７５００ｒｐｍの場合を例にとり、テープスピードを算出する。
【００７７】
＜８ｍｍテープパターン＞
トラックピッチ（μｍ）：ドラム回転数（ｒｐｍ）：テープスピード（ｍｍ／ｓ）
５                      １２０００              １８．２２２
５                        ９０００              １３．６６６
５                        ７５００              １１．３８９
３                      １２０００              １０．９３６
３                        ９０００                ８．２０２
３                        ７５００                ６．８３５
【００７８】
なお、以上の場合にトラック走行角は６．２９９６３°になる。
【００７９】
以上で用いた各スペックを決める背景はつぎのとおりである。
【００８０】
＜テープ巻付け角（Ｗａ−ｎ８）＞
２ヘッドヘリカルスキャンシステムから見たとき、テープの巻付け角は１８０°となるのが最も効率が良い。図１９、図２０に示すように、仮に１８０°以上だと、２ヘッドが同時にＯＮするためクロストークが発生するのと、広角でのリード切削は難しく、出来あがりパターンのリニアリティを悪化させる要因が増える。一方、１８０°以下だと、ヘッドがテープに接触していない時間領域が発生し、その時間はデータが転送できていない。つまりスピードが求められるデータストレージ機器においては致命的となる。
【００８１】
図２０（Ａ）はテープ巻付け角が９０°の場合を示し、この場合はヘッドが働いていない期間があり、その間はデータが送れない。図２０（Ｂ）はテープ巻付け角が１８０°の場合を示し、この場合はデータを途切れなく送れる。図２０（Ｃ）はテープ巻付け角が１８０°より大きい場合を示し、この場合は２ヘッドが同時にＯＮするためクロストークの悪化が懸念される。
【００８２】
以上により、１８０°を若干下回る（１６８〜１７８°程度）巻付け角が理想である。
【００８３】
＜ドラム径＞
ＤＤＳシステムはＤＡＴメカニズムの流用ということもあり、ドラム径３０ｍｍ／テープ巻付け９０°というのが一般的である。しかし将来的に、転送レートの向上やノントラッキングサーボを目的として回転ヘッドの数の増加、および内蔵されるアンプ回路の大規模化等の理由によりドラムの径は大きくしたい。またテープストレージ機器は一般的にＰＣドライブベイにビルトインされることが多く、そのためにメカユニットに対する外形サイズの制約が発生する。そのためドラム径は４０ｍｍ程度にするのが最もバランスが良い。
【００８４】
＜テープパターンのＹ軸成分（Ｌｙｓ−８ｍｍ）とテープ幅＞
上記によりドラム径を４０ｍｍ、テープ巻付け角を１７５°としたときに、ＤＤＳの走行角フォーマットを考慮すると、テープパターンのＹ軸投影長は６．７ｍｍ程度となる。一般的にその６．７ｍｍに対して上下に０．６ｍｍ程度の余裕をとることが望ましい。テープの上下端はダメージを受けやすく、余裕を広く取りたいところであるが、ここを減らすことでテープ面積に対する記録有効面積を高めることができる。以上からテープ幅は８ｍｍ以上が望ましいが、上記したドライブメカのサイズの制約から高さを少しでも抑えることが望まれているため、８ｍｍ程度が最適値となる。
【実施例２】
【００８５】
幅の広いテープについては幅の狭いテープよりテープ巻付け角を増やすことにより、同一の回転ドラムを用いてそれぞれの幅のテープに対して上下の余裕分を除いてテープ幅に対して一杯の長さに亘ってトラックを形成している。そこで、記録する信号をヘッドに送り込むタイミングについても、幅の狭いテープに対してはヘッドの一回転に要する時間のうちの小さい割合の期間のみに信号を送って、その期間で記録を行い、幅の広いテープに対しては、ヘッドの一回転分に対してより大きい割合の期間に信号を送って、単位時間当たりにより多くの情報を記録する必要がある。以下、このタイミングコントローラの実施例について説明する。
【００８６】
図２１は記録系のタイミングコントローラ１００のブロック図である。ここで、実際にはマイクロプロセッサで行われるのが好適な部分についても、その機能をブロックで示している。カセットが挿入されると、カセット識別部１１１において、挿入されたカセットの大きさを図示しない各種センサで検出するなどの方法でカセットの種類が検出される。この検出は、カセット挿入に先立ってユーザーがボタンの操作などでどちらのカセットを使用するかを装置に入力し、装置のマイクロプロセッサ１１０がその操作を検知して判断しても良い。カセット識別結果は記録信号処理部１３０に送られ、記録信号処理部１３０では、入力されたデータ信号に対して誤り訂正符号の付加、プレアンブルやポストアンブルの付加などが行われて、使用するカセットに応じたフォーマットの信号に整えられる。
【００８７】
一方、サーボ処理部１２０のドラム位相サーボ１２１において、ドラム回転位相がドラムＰＧ１２２により検出され、その位相が基準信号に位相が合わせられるが、このドラム位相サーボより、ドラムの回転位相の情報を得ることができる。この情報を利用して、ドラム回転位相が所定の範囲の期間において信号をタイミングを合わせてヘッドに供給して記録を行う。
【００８８】
図２３は、横軸をドラムの位相としてどの期間において記録再生を行うかを説明するための図である。図２３（ａ）は、幅の狭いテープに記録する際の信号の記録期間を示し、図２３（ｂ）は、幅の広いテープに記録する際の信号の記録期間を示す。これらにおいて、斜線で示した期間が信号の記録を行う期間である。
【００８９】
記録においては、図２１に示すように、記録信号処理部１３０で処理された信号は、一旦バッファ１４０に蓄えられ、クロック発生部１２３で発生された読み出しクロックで読み出すことにより、所定期間において記録アンプ１５０からヘッド１６０に供給される。ここで、クロック発生部１２３には、ドラム位相の情報と共に、カセット識別部１１１からカセット識別情報が供給され、使用するカセットが幅の狭いテープが入ったカセットか、幅の広いテープが入ったカセットかに応じて、読み出しクロックのバッファへの供給タイミングを変える。
【００９０】
これにより、図２３（ａ）及び図２３（ｂ）のように、使用するテープの幅に応じて回転ヘッドの位相に対して所定の期間で記録を行うことができる。すなわち、幅の狭いテープの方が巻き付角が小さく、ヘッドの一回転の中で記録ヘッドがテープ上を走っている比較的短い期間に記録を行うのに対して、幅の広いテープについては巻付角が大きく、ヘッドの一回転の中で記録ヘッドがテープ上を走っている期間は長く、より長い期間において記録を行う。
【００９１】
図２２は、再生系のタイミングコントローラ２００のブロック図である。磁気ヘッド２６０から再生された信号は、再生アンプ２５０で増幅された後、ゲート回路２４０により再生信号が存在する期間が抜き取られ、再生信号処理部２３０に送られて誤り訂正処理などの所定の信号処理が行われた後、再生データとして出力される。
【００９２】
ここで、タイミング発生部２２３において、サーボ処理部２２０のドラム位相サーボ２２１より供給される回転ヘッドの位相の情報と、使用しているカセットの識別結果からゲート回路での信号抜き取りのタイミングが決定され、ゲート回路２４０に供給されることにより、所定のタイミングで再生信号が抜き取られる。ここで、ゲート回路２４０を用いなくても、再生信号処理部２３０において信号を所定のタイミングで入来した信号を処理する等により、実質的にゲートを行うのと同等の処理を行っても良い。
【００９３】
記録再生及び使用するテープ幅についてヘッドを共用する場合には、再生時のゲートタイミングは、幅の狭いテープについては図２３（ａ）の斜線部となり、幅の広いテープについては図２３（ｂ）の斜線部となる。図１２に示すように、幅の広いテープの再生に関してのみ、記録や幅の狭いテープの再生に用いるヘッドＨＡ１、ＨＡ２に対して９０度異なる位置に配置されたヘッドＨＢ１、ＨＢ２を用いる場合には、幅の広いテープの再生に関しては図２３（ｃ）のタイミングで再生信号が抜き取られる。
【図面の簡単な説明】
【００９４】
【図１】本発明の一実施形態を示す平面図である。
【図２】本発明の一実施形態を示す平面図である。
【図３】本発明の動作を説明するためのフローチャートである。
【図４】本発明で用いるリール台移動機構を示す平面図である。
【図５】本発明で用いるリール台移動機構を示す平面図である。
【図６】本発明における回転ドラムに対するテープの巻付角の一例を示す図である。
【図７】本発明で用いるリードシフト機構を示す図である。
【図８】リードシフト機構による作用を説明するための図である。
【図９】本発明における回転ドラムとテープとの関係を平面的に示す図である。
【図１０】テープの記録フォーマットを説明するための図である。
【図１１】本発明で用いる記録再生回路の一例を示す回路図である。
【図１２】本発明における回転ドラムのヘッド配置の一例を示す図である。
【図１３】本発明で用いる１種類のテープカセットの例を示す平面図である。
【図１４】本発明で用いる別の種類のテープカセットの例を示す平面図である。
【図１５】ドラム径とテープ巻付け角を示す図である。
【図１６】テープフォーマットのパターンを示す図である。
【図１７】テープフォーマットのパターンを示す図である。
【図１８】テープフォーマットのパターンを示す図である。
【図１９】テープ巻付け角の条件範囲を説明するための図である。
【図２０】テープ巻付け角の条件範囲を説明するための図である。
【図２１】タイミングコントローラのブロック図である。
【図２２】タイミングコントローラのブロック図である。
【図２３】タイミングチャートである。
【符号の説明】
【００９５】
１  幅狭テープカセット
１ｔ，２ｔ  磁気テープ
１ａ，２ａ  供給リール
１ｂ，２ｂ  巻取リール
１ｍ，２ｍ  カセットマウス
２  幅広テープカセット
１１ａ  供給側リール台
１１ｂ  巻取側リール台
１２ａ，１２ｂ  リール台ベース
１８  圧着レバー
１９  スライドカム
２１〜２６  ガイドローラ（ローディング手段）
２７  ピンチローラ（ローディング手段）
３０  回転ドラム
３１  固定ドラム
３１ａ  底面部
３１ｂ  外周部
３１ｂ１  リード
６０  リードシフト機構
７１，７２，７７，７８  ロータリトランス
７３  プリレコーディングアンプ
７４  スイッチ
７５  アンプ
７６  ダイオード素子
７９  プリアンプ
９０  リール台移動機構
１００  カセットハウジング
１１０  フロントパネル
１２０  サブフロントパネル
１３０  駆動機構
１４１  平行リンク
１５０  カセットホルダ
１６０  カセットガイド
１７０  ガイドプレート
２１０  ストッパプレート
Ｈ，ＨＡ１，ＨＡ２，ＨＢ１，ＨＢ２  磁気ヘッド
【図１】
2005044484.tif 000003
【図２】
2005044484.tif 000004
【図３】
2005044484.tif 000005
【図４】
2005044484.tif 000006
【図５】
2005044484.tif 000007
【図６】
2005044484.tif 000008
【図７】
2005044484.tif 000009
【図８】
2005044484.tif 000010
【図９】
2005044484.tif 000011
【図１０】
2005044484.tif 000012
【図１１】
2005044484.tif 000013
【図１２】
2005044484.tif 000014
【図１３】
2005044484.tif 000015
【図１４】
2005044484.tif 000016
【図１５】
2005044484.tif 000017
【図１６】
2005044484.tif 000018
【図１７】
2005044484.tif 000019
【図１８】
2005044484.tif 000020
【図１９】
2005044484.tif 000021
【図２０】
2005044484.tif 000022
【図２１】
2005044484.tif 000023
【図２２】
2005044484.tif 000024
【図２３】
2005044484.tif 000025